(57)【特許請求の範囲】
【請求項１】
直方体形状とされ、印面と直交する所定の一面である表面に係合突起を有し、該係合突起を有した一面の裏側とされる裏面に係合溝を有した連結印において、
２つの押圧部材と前記２つの押圧部材の間に配置されて２つの押圧部材を外方に付勢するコイルバネを内蔵し、前記２つの押圧部材は各々ヒンジ部を有する押圧板を備え、前記２つの押圧部材は外側端部の押し込み部を当該連結印の左右側方の側面に位置させ、前記押し込み部を内側に押し込んだとき、前記２つの押圧部材が相互に近づき、前記押圧板がヒンジ部で屈曲して前記係合突起が設けられた表面に設けた窓から前記押圧板のヒンジ部分を突出させ、前記係合突起により連結された他の連結印を押し離すことにより、複数の前記連結印が連結した状態を解除し易くするための間隙を形成する押圧板を備えることを特徴とする連結印。
【発明の詳細な説明】
【技術分野】
【０００１】
本発明は、複数の印を連結し、まとめて押印するのに用いられる連結印に関する。
【背景技術】
【０００２】
住所や電話番号、会社名、個人名等が各々表記された印面を有する複数の印を連結し、まとめて一つの印として押印するのに用いられる連結印というものがある。この連結印は、会社の事務等において欠かせないものとなっており、連結印に関する様々な提案がなされている（例えば、特許文献１及び特許文献２）。これらの連結印は、印面と直交する所定の一面に係合突起を有し、この係合突起を有した面の裏面に係合溝を有している。そして、複数の連結印は、所定の連結印の係合突起を有した面と、他の連結印の係合溝を有した面とを対向させ、係合突起と係合溝とを係合させることによって連結することができる。
【先行技術文献】
【特許文献】
【０００３】
【特許文献１】特開２００４−２６８４１９号公報
【特許文献２】実開昭５９−０８２７５３号公報
【発明の概要】
【発明が解決しようとする課題】
【０００４】
上述した連結印では、各連結印同士の結合状態が弱いと押印時に各連結印が外れる可能性があるため、各連結印間に振れが生じないよう強固に連結させる必要がある。しかしながら、係合突起と係合溝の係合状態を強固にすると、連結状態を解除する、つまり、各連結印同士を分離させるのが困難になるという問題点があった。
【０００５】
本発明は、このような従来技術の問題点に鑑みてなされたものであり、係合状態にあるときに各連結印間に間隙を形成する連結解除補助機構を備えることにより、強固な係合状態であっても容易に解除が可能な連結印を提供することを目的としている。
【課題を解決するための手段】
【０００６】
本発明の連結印は、直方体形状とされ、印面と直交する所定の一面である表面に係合突起を有し、該係合突起を有した一面の裏側とされる裏面に係合溝を有した連結印において、２つの押圧部材と前記２つの押圧部材の間に配置されて２つの押圧部材を外方に付勢するコイルバネを内蔵し、前記２つの押圧部材は各々ヒンジ部を有する押圧板を備え、前記２つの押圧部材は外側端部の押し込み部を当該連結印の左右側方の側面に位置させ、前記押し込み部を内側に押し込んだとき、前記２つの押圧部材が相互に近づき、前記押圧板がヒンジ部で屈曲して前記係合突起が設けられた表面に設けた窓から前記押圧板のヒンジ部分を突出させ、前記係合突起により連結された他の連結印を押し離すことにより、複数の前記連結印が連結した状態を解除し易くするための間隙を形成する押圧板を備えることを特徴とする。
【発明の効果】
【０００７】
本発明によれば、係合状態にあるときに各連結印間に間隙を形成する連結解除補助機構を備えることにより、強固な係合状態であっても容易に解除が可能な連結印を提供することができる。
【図面の簡単な説明】
【０００８】
【図１】本発明の実施形態における複数の連結印を連結した状態を示す斜視図である。
【図２】上記連結印を表面側から見た斜視図である。
【図３】上記連結印を裏面側から見た斜視図である。
【図４】上記連結印の分解斜視図である。
【図５】係止板を取り外した状態における上記連結印の説明図である。
【図６】上記連結印の断面図である。
【図７】連結解除補助機構の動作時における上記連結印の断面図である。
【図８】上記連結解除補助機構の動作の説明図である。
【発明を実施するための形態】
【０００９】
以下、本発明を実施するための形態について図に基づいて詳説する。図１は、複数の連結印1が連結された状態を示す斜視図であり、図２は、連結印1を表面側からみた斜視図であり、図３は、連結印1を裏面側から見た斜視図であり、図４は、連結印1の分解斜視図である。また、図５は、係止板41を取り外した状態における連結印1の斜視図であり、図６は、連結印1の断面図であり、図７は、連結解除補助機構50の動作時における連結印1の断面図であり、図８は、連結解除に関しての説明図である。なお、以下の説明において、図１における係合突起15が形成された面を表面、表面の裏側に位置する面を裏面とする。また、印面11が位置する方向を下方、印面11と対向する面が位置する方向を上方、表裏方向、及び、上下方向と直交する方向を左右方向とする。
【００１０】
連結印1は、図１に示すように、電話番号、会社名、メールアドレス等の異なるパターン形状を備えた複数の連結印1の中から、使用者が所望の連結印1をいくつか選択し、あたかも一つの印判のようにして押印することができるものである。また、連結印1は、選択する連結印1を変更したり、組み合わせる順番を変更したりすることによって様々なパターン形状を押印することができる。そして、本実施形態に係る連結印1は、複数の連結印1が強固に連結された状態であっても、各連結印1間に間隙を形成することにより、各連結印1を容易に分離できるようにする連結解除補助機構50を備えている。
【００１１】
各連結印1は、図２及び図３に示すように、一面を印面11とする直方体形状であって、印面11と直交する所定の一面である表面の両側辺近傍部分に係合突起15を備え、係合突起15が形成された位置の裏面側に係合溝16を有している。そして、連結印1は、所定の連結印1の表面と他の連結印1の裏面とを対向させ、係合突起15と係合溝16とを係合させることにより、各連結印1を連結することができる。すなわち、各連結印1は、印面11のパターン形状が異なる場合であっても、少なくとも表面及び裏面が同形状とされており、使用者の選択如何によってあらゆる連結印1を自由に連結することができる。また、印面11は、印板貼付面13に印板12が貼付されることにより形成され、この印板12は、ゴム等の弾性を有した素材で形成されている。
【００１２】
以下、この連結印1の連結解除補助機構50について詳細に述べる。連結解除補助機構50は、連結印1の上方部分に形成されている。この連結解除補助機構50は、図４及び図５に示すように、印判本体21の押圧部材載置部25と、２つの押圧部材31(31a,31b)と、コイルバネ38と、２つの窓42を有した係止板41と、から構成されている。そして、この連結解除補助機構50は、２つの押圧部材31a,31bを相互に近づける方向に摺動させると、２つの窓42から後述する押圧板32が突出し、隣接する連結印1間に間隙を形成することができる。
【００１３】
印判本体21は、下方に位置する基部23と、基部23から離れた位置であって上方に位置する頭部24と、基部23と頭部24との間に位置し、かつ、基部23と頭部24の裏面を連結する（面一にする）押圧部材載置部25と、から形成されている。そして、基部23の上方に位置する端面の表面側縁部には、係止板41の外縁部分が係合される係合窪み23aが形成され、この係合窪み23aと対向するように、頭部24の下方に位置する端面の表面側縁部にも係合窪み24aが形成されている。また、係合窪み23a,24aには、後述する係止板41の係止突起45が係止する係止穴23b,24bが形成されている。
【００１４】
印判本体21の押圧部材載置部25は、左右方向の長さが係合窪み23a,24aの左右方向の長さと略同一に形成されている。そして、この押圧部材載置部25は、後述する押圧部材31の押圧板32が当接する２つの当接壁26を備え、２つの当接壁26の間にコイルバネ38が配置される溝27を備えている。この当接壁26は、上下方向に延在し、かつ、表面方向に突出するように形成され、表面側端面と左右方向における外方に位置する端面との角部分がテーパー部29とされている。
【００１５】
２つの押圧部材31a,31bは、対称形状であり、略中央で屈曲可能なヒンジ部32aを設けた押圧板32と、押圧板32が取り付けられた方形状の保持枠33と、保持枠33の一辺に形成された押し込み部34と、保持枠33から外方に突出する突起37と、が一体形成されている。押圧板32は、ヒンジ部32aを中心に屈曲可能とされた板であって、左右方向における外方に位置する端辺部分で保持枠33に屈曲可能に連結されている。また、押圧板32の自由端に位置する端面は、曲面形状とされている。
【００１６】
保持枠33は、開口部分に押圧板32が配置され、この押圧板32が外端辺の内側に連結されている。また、押し込み部34は、保持枠33の左右方向における外端辺部分を表裏方向に拡開するように形成されている。突起37は、保持枠33における左右方向の内端辺の中心から突出するように形成されており、コイルバネ38が係着されている。
【００１７】
係止板41は、方形状の薄板であって、左右方向の両端近傍に２つの方形状の窓42を備え、薄板の上下端縁部分には、裏面に向かって延在し、かつ、裏面側端部に爪を備えた係止突起45が形成されている。この係止板41は、左右方向の長さが係合窪み23a,24aの左右方向の長さと略同一（僅かに小さく）に形成されており、係止突起45の爪が基部23及び頭部24の係止穴23b,24bに係止することで印判本体21に固定される。また、係止板41の窓42は、押圧板32のヒンジ部32aが窓42を貫通可能なように、上下方向の長さが押圧板32の上下方向の長さよりも長く形成されている。さらに、各窓42の窓枠における左右方向の両端面は、図６に示すように、表面から裏面に向かってテーパー状に形成されて、外側に位置する外テーパー面42aと内側に位置する内テーパー面42bとされている。
【００１８】
そして、２つの押圧部材31a,31bは、各突起37を対向させ、かつ、各突起37にコイルバネ38の端部を夫々係着させた状態で、押圧部材載置部25に摺動可能に配置されている。また、押圧部材31a,31bは、保持枠33と押圧板32の自由端との間に当接壁26が位置した状態で押圧部材載置部25に配置されている。すなわち、押圧部材31a,31bは、押圧部材載置部25上において、コイルバネ38によって左右方向の外方に付勢され、かつ、当接壁26と保持枠33とが係止することによって外方への動きを規制された状態とされている。また、係止板41は、押圧部材載置部25上に配置された２つの押圧部材31a,31bを表面側から塞いだ状態で、印判本体21の基部23及び頭部24に係止している。
【００１９】
すなわち、押圧部材載置部25に配置された２つの押圧部材31a,31bが開放状態（外力が加わっていない状態）にあるとき、図６に示したように、押圧部材31の押圧板32は、ヒンジ部32aが表面側に僅かに屈曲された状態となっており、ヒンジ部32aの稜線が係止板41の表面と略同一面上に位置している。また、押圧板32の自由端は、当接壁26のテーパー部29と係止板41の内テーパー面42bとの間に位置しており、当接壁26及び又は係止板41と当接している。
【００２０】
２つの押圧部材31a,31bが内側に摺動したとき（２つの押圧部材31a,31bに外力が加わった状態）、図７に示すように、押圧板32は、自由端が当接壁26及び又は係止板41によって左右方向への動きを規制されているため、ヒンジ部32aが大きく屈曲し、このヒンジ部32aが係止板41の窓42から外方に突出する。係止板41の窓42から押圧板32のヒンジ部32aが突出すると、図８に示すように、隣接する他の連結印1の裏面と上記ヒンジ部32aとが当接して他の連結印1を押し離すように押圧するため、他の連結印1との間に間隙が形成される。これにより、所定の連結印1の裏面と他の連結印1の表面とが密着された状態から、各連結印1間に間隙が形成された状態となるため、各連結印1間に指などを挿入することで各連結印1を容易に分離させることができる。なお、２つの押圧部材31a,31bは、押し込み部34の内側が係止板41及び又は押圧部材載置部25の外端辺に当接する位置まで摺動可能である。
【００２１】
また、係止板41の窓42からヒンジ部32aが突出した状態の押圧部材31a,31bは、押し込み部34が開放されると、コイルバネ38に付勢されて当接壁26と保持枠33の内側とが当接するまで外方に摺動する。押圧部材31a,31bが外方に摺動すると、押圧板32のヒンジ部32aの近傍が係止板41の外テーパー面42aに当接し、外テーパー面42aに誘導されて広がる。すなわち、押し込み部34が開放されると、押圧板32は、係止板41の窓42からヒンジ部32aが突出した状態からヒンジ部32aが係止板41の内側に収納された状態となる。
【００２２】
このように、本実施形態の連結印1は連結解除補助機構50を備えるため、２つの押圧部材31a,31bの押し込み部34を指等で内側に向かって押し込むことにより、隣接した連結印1間に間隙を形成することができる。これにより、隣接する連結印1間の係合状態を弱め、かつ、各連結印1間に指等を入れることができるため、各連結印1を容易に分離することができるようになる。
【００２３】
また、本実施形態の連結印1は、連結解除補助機構50が屈曲可能な押圧板32を備え、当該押圧板32を屈曲させ、かつ、ヒンジ部32aを表面から外方に突出させることにより、連結状態にある連結印1の裏面を押し離すように押圧し、各連結印1間に間隙を形成することができる。よって、本実施形態によれば、強固な係合状態にある連結印1を容易に分離させるための補助機構を簡易な構成で実現できる。
【００２４】
なお、本発明は、以上の実施形態に限定されるものでなく、発明の要旨を逸脱しない範囲で自由に変更、改良が可能である。
【符号の説明】
【００２５】
1   連結印
11  印面                              12  印板
13  印板貼付面                        15  係合突起
16  係合溝                            21  印判本体
23  基部                              23a 係合窪み
23b 係止穴                            24  頭部
24a 係合窪み                          24b 係止穴
25  押圧部材載置部                    26  当接壁
27  溝                                29  テーパー部
31,31a,31b 押圧部材                   32  押圧板
32a ヒンジ部
33  保持枠                            34  押し込み部
37  突起                              38  コイルバネ
41  係止板                            42  窓
42a 外テーパー面                      42b 内テーパー面
45  係止突起                          50  連結解除補助機構
【図１】
0005602490.tif 000002
【図２】
0005602490.tif 000003
【図３】
0005602490.tif 000004
【図４】
0005602490.tif 000005
【図５】
0005602490.tif 000006
【図６】
0005602490.tif 000007
【図７】
0005602490.tif 000008
【図８】
0005602490.tif 000009